(57)【要約】【課題】  合成樹脂に陶器粉を混入させることにより、陶器に近い質感を有する水周り用品を安価に提供することを課題とする。【解決手段】  陶器製の便器又は洗面器の製造工程中に出る廃材あるいは製造後の不良品で作られ、その平均粒径が１μm〜１００μｍである陶器粉を合成樹脂中に５０重量％〜９０重量％の範囲で混入させ、陶器に近い質感を発現させた。この陶器紛混入合成樹脂で、温水洗浄便座Ｗの前面ケース１を成形すれば、陶器製の洋式大便器Ｘに意匠的に合った概観を持つトイレ装置を得ることができる。【選択図】  図１
2005163400.tif 000002
【特許請求の範囲】
【請求項１】
合成樹脂で成形された水周り用品の表面側部材を、陶器紛を混入した合成樹脂で成形した樹脂成形体としたことを特徴とする水周り用品。
【請求項２】
前記陶器紛を、合成樹脂に対して５０〜９０重量％混入させたことを特徴とする請求項１記載の水周り用品。
【請求項３】
前記陶器紛の平均粒径を１〜１００μｍとしたことを特徴とする請求項１記載の水周り用品。
【請求項４】
陶器製の洋式大便器の後方上部に設置される温水洗浄便座のケーシングを、陶器紛を混入させた合成樹脂で成形したことを特徴とするトイレ装置。
【請求項５】
陶器製の洋式大便器の後方上部に設置される温水洗浄便座の手洗い器蓋を、陶器紛を混入させた合成樹脂で成形したことを特徴とするトイレ装置。
【請求項６】
陶器製の洋式大便器の後方上部に設置される温水洗浄便座の動作を、リモコン装置で遠隔操作してなるトイレ装置において、少なくとも前記リモコン装置の表面板を、陶器紛を混入させた合成樹脂で成形したことを特徴とするトイレ装置。
【請求項７】
前記陶器紛の粒径を１〜１００μｍとし、合成樹脂に対して５０〜９０重量％混入させたことを特徴とする請求項４〜６のいずれか１項に記載のトイレ装置。
【請求項８】
前記陶器紛は、陶器製の便器又は洗面器の製造工程中に出る廃材あるいは製造後の不良品を元に作られたものとしたことを特徴とする請求項４〜６のいずれか１項に記載のトイレ装置。
【発明の詳細な説明】
【技術分野】
【０００１】
本発明は、合成樹脂に陶器粉を混入させることで、陶器に近い質感を有する水周り用品に関するものであり、陶器製の大便器を有するトイレ装置に好適に使用できる。
【背景技術】
【０００２】
現在、トイレ室内に設置されるトイレ装置には、陶器製の洋式大便器、陶器製もしくはプラスチック製の給水タンクおよび手洗い器蓋、外郭が合成樹脂製の温水洗浄便座およびそのリモコン装置などがある。トイレ室内に合成樹脂製の給水タンクおよび温水洗浄便座およびそのリモコン装置を設置した場合、陶器製である洋式大便器に比べ、合成樹脂は表面質感に劣るため、見栄えが落ちるという問題があった。そこで、これらトイレ装置の全体の質感を陶器に近づけ、トイレ室内の品位、デザイン性を向上させたいといった要求がある。
上記要求に応じるため、合成樹脂製部品を陶器調にする方策としては、合成樹脂にセラミック材を混入させる手段が提案されている。例えば特許文献１に示されるように、合成樹脂にセラミック材を混入する際、そのセラミック材が持つ特性、例えば誘電性、圧電性、磁性、導電性、熱伝導性を付与し、機能性セラミックに近い機能を有する目的で実施され、充填するセラミック材としては平均粒径０．１〜５０μｍのファインセラミック材が使用される。
【０００３】
【特許文献１】特開平１１−１０６５１６号公報
【発明の開示】
【発明が解決しようとする課題】
【０００４】
しかし、上記各機能性を有したファインセラミック材を混入した合成樹脂を、陶器に近い質感を持たせる目的でトイレ室内の水周り用品に適用すると、ファインセラミック材を大量に使用するため部品が高価なものとなるため、水周り用品には適用しにくいという問題があった。
本発明は、上記問題を解決するためになされたもので、合成樹脂に陶器粉を混入させることにより、陶器に近い質感を有する水周り用品を安価に提供することを課題とする。
【課題を解決するための手段】
【０００５】
上記目的を達成するためになされた請求項１記載の発明は、合成樹脂で成形された水周り用品の表面側部材を、陶器紛を混入した合成樹脂で成形した樹脂成形体としたことを特徴とする。これにより、陶器に近い質感を有する意匠性の優れた水周り用品を提供することができる。
【０００６】
上記目的を達成するためになされた請求項２記載の発明は、請求項１記載の前記陶器紛を、合成樹脂に対して５０〜９０重量％混入させたことを特徴とする。合成樹脂に陶器粉を高充填させることで成形体の外観がより陶器に近い質感を有するようになり、より意匠性の優れた水周り用品を提供することができる。
【０００７】
上記目的を達成するためになされた請求項３記載の発明は、請求項１記載の前記陶器紛の平均粒径を、１〜１００μｍとしたことを特徴とする。これにより、表面平滑性に優れた陶器に近い質感を有する意匠性の優れた水周り用品を提供することができる。
【０００８】
トイレ内には、便器、手洗器等の陶器製の装置がメインの装置として設置されるので、トイレの壁に取り付ける周辺機器、すなわちトイレ用備品の概観を陶器調にすることでトイレルーム内の調度品間でのトータルコーディネイトができる。なお、ここでいうトイレの周辺機器とは、紙巻器、リモコン、擬音発生装置、手洗器の上方に設置される化粧棚、等である。
また、洗面所においても、洗面化粧台の洗面器は陶器製であることが多く、したがって、洗面所用の備品を陶器紛を混入した合成樹脂で成形しても同じ効果が得られる。
【０００９】
上記目的を達成するためになされた請求項４記載の発明は、陶器製の洋式大便器の後方上部に設置される温水洗浄便座のケーシングを、陶器紛を混入させた合成樹脂で成形したことを特徴とする。これにより、前記ケーシングが陶器に近い質感を有するようになり、陶器製の洋式大便器と一体感をもった意匠性の優れたトイレ装置を提供することができる。
【００１０】
上記目的を達成するためになされた請求項５記載の発明は、陶器製の洋式大便器の後方上部に設置される温水洗浄便座の手洗い器蓋を、陶器紛を混入させた合成樹脂で成形したことを特徴とする。これにより、前記ケーシングが陶器に近い質感を有するようになり、陶器製の洋式大便器と一体感をもった意匠性の優れたトイレ装置を提供することができる。
【００１１】
上記目的を達成するためになされた請求項６記載の発明は、陶器製の洋式大便器の後方上部に設置される温水洗浄便座の動作を、リモコン装置で遠隔操作してなるトイレ装置において、少なくとも前記リモコン装置の表面板を、陶器紛を混入させた合成樹脂で成形したことを特徴とする。これにより、前記リモコン装置の表面板ならびにスイッチ群が陶器に近い質感を有するようになり、意匠性の優れたトイレ装置を提供することができる。なお、リモコン装置の表面板に限らず、リモコン装置の操作部が合成樹脂製である場合には、この操作部を陶器紛を混入させた合成樹脂で成形するのが望ましい。
【００１２】
上記目的を達成するためになされた請求項７記載の発明は、請求項４〜６のいずれか１項に記載のトイレ装置に関し、混入する陶器紛の粒径を１〜１００μｍとし、合成樹脂に対して５０〜９０重量％混入させたことを特徴とする。これにより、表面平滑性に優れ、且つより陶器に近い質感を有する意匠性の優れたトイレ装置を提供することができる。
【００１３】
上記目的を達成するためになされた請求項８記載の発明は、請求項４〜６のいずれか１項に記載のトイレ装置に関し、混入する陶器紛が、陶器製の便器又は洗面器の製造工程中に出る廃材あるいは製造後の不良品を元に作られることを特徴とする。これにより、廃材および不良品のリサイクル利用が可能となり、安価な陶器に近い質感を有する意匠性の優れたトイレ装置を提供することができる。
【発明の効果】
【００１４】
本発明によれば、合成樹脂に陶器粉を混入させることにより、陶器に近い質感を有する意匠性に優れた水周り用品を提供することができる。さらに、充填される陶器粉を陶器製の便器又は洗面器の製造工程中に出る廃材あるいは製造後の不良品で作られたものを使用することによって、安価かつ資源リサイクル性を配慮した水周り用品を提供することができる。
【発明を実施するための最良の形態】
【００１５】
本発明にかかる実施の形態を各図に示して説明する。
【００１６】
図１に陶器製の洋式大便器の後方上部に温水洗浄便座を設置したトイレ装置の斜視図を示す。図において、洋式大便器Ｘの後方上部に温水洗浄便座Wが設置されている。温水洗浄便座Wは、前面ケース１、背面ケース２、ケース蓋３で覆われた内部には便器洗浄タンクへの給水と局部洗浄用の給水を分岐する分岐栓および局部洗浄用の給水を制御する電磁弁等からなるバルブユニット、局部洗浄用の水を温水化する温水タンク、局部洗浄水の水量を調整及びお尻／ビデの流路を切り替える流量調整兼流路切換ユニット、局部へ洗浄水を放出するノズルユニット、洗浄後の局部を乾燥するための局部乾燥ファンユニット、便器内の悪臭を吸着脱臭する脱臭ファンユニット、便器内への洗浄水を蓄積する便器洗浄タンク、各ユニットを制御する回路基板（制御ボックス）等が装備されている。また、４は便蓋、５は便座である。この実施形態において、前面ケース１およびケース蓋３は陶器粉を充填した熱可塑性プラスチックが使用される。前面ケース１およびケース蓋３に使用される熱可塑性プラスチックとしては、アクリルニトリル・ブタジエン・スチレン共重合体が使用される。また、使用される陶器粉は陶器製の便器又は洗面器の製造工程中に出る廃材あるいは製造後の不良品を元に作られたものであり、平均粒径１〜１００μｍ、充填量は５０重量％〜９０重量％の範囲で選択することができる。前面ケース１およびケース蓋３に陶器粉を充填した熱可塑性プラスチックを使用することにより、温水洗浄便座Wの前面ケース１およびケース蓋３が陶器に似た質感となるので、陶器製の洋式大便器Ｘの直上に設置された前面ケース１およびケース蓋３と洋式大便器Ｘとが異なる素材で形成されているにもかかわらず一体感を有することになり、意匠性に優れたトイレ装置を提供することができる。
【００１７】
図２に陶器製の洋式大便器の後方上部に手洗い器を備えた温水洗浄便座を設置したトイレ装置の斜視図を示す。図において、洋式大便器Ｘの上に温水洗浄便座Wが設置されている。温水洗浄便座Wは、前面ケース１、背面ケース２、手洗い器蓋６で覆われた内部には便器洗浄タンクへの給水と局部洗浄用の給水を分岐する分岐栓および局部洗浄用の給水を制御する電磁弁等からなるバルブユニット、局部洗浄用の水を温水化する温水タンク、局部洗浄水の水量を調整及びお尻／ビデの流路を切り替える流量調整兼流路切換ユニット、局部へ洗浄水を放出するノズルユニット、洗浄後の局部を乾燥するための局部乾燥ファンユニット、便器内の悪臭を吸着脱臭する脱臭ファンユニット、便器内への洗浄水を蓄積する便器洗浄タンク、各ユニットを制御する回路基板（制御ボックス）等が装備されている。また、４は便蓋、５は便座である。この実施形態においては、前面ケース１および手洗い器蓋６は陶器粉を充填した熱可塑性プラスチックが使用される。前面ケース１および手洗い器蓋６に使用される熱可塑性プラスチックとしては、アクリルニトリル・ブタジエン・スチレン共重合体が使用される。また、使用される陶器粉は陶器製の便器又は洗面器の製造工程中に出る廃材あるいは製造後の不良品を元に作られたものであり、平均粒径１〜１００μｍ、充填量は５０重量％〜９０重量％の範囲で選択することができる。前面ケース１および手洗い器蓋６に陶器粉を充填した熱可塑性プラスチックを使用することにより、温水洗浄便座の前面ケース１および手洗い器蓋６が陶器に似た質感となるので、陶器製の洋式大便器Ｘの直上に設置された前面ケース１および手洗い器蓋６と洋式大便器Ｘとが異なる素材で形成されているにもかかわらず一体感を有することになり、意匠性に優れたトイレ装置を提供することができる。
なお、上述した２つの実施形態において、温水洗浄便座Ｗの背面ケース２の製造にも陶器紛を混入した合成樹脂を用いれば、トイレ装置全体がより一体感を持つデザインとなる。
【００１８】
図３に、図１又は図２に開示した温水洗浄便座Wの動作を遠隔操作してなる温水洗浄便座用リモコン装置の斜視図を示す。リモコン装置Ｙには洋式大便器Ｘに洗浄水を供給する動作を行う大便用の大スイッチや小便用の小スイッチを有する水洗スイッチ群７、また便蓋開きスイッチ、便座開きスイッチ及び便蓋・便座閉じスイッチを有する便座・便蓋開閉スイッチ群８、温水洗浄便座の主要操作を行うスイッチであり、温水洗浄便座のノズルより局部へ洗浄水を吐出させる「おしり」スイッチ、局部への洗浄水をシャワー状にする「やわらか」スイッチ、ビデ洗浄を行う「ビデ」スイッチ、ノズルからの洗浄水の吐出を止める「止め」スイッチ及び温風乾燥を行う「乾燥」スイッチ等を有する温水洗浄便座主要操作スイッチ群９が備えられている。また、表面板１１のなかには、温水洗浄便座の補助的な操作を行うスイッチであり、ノズルを前後に移動させる「ムーブ」スイッチ、洗浄水をリズミカルに噴出する「マッサージ」スイッチ、洗浄水の水勢を調節する水勢強弱スイッチ及び脱臭を強力なパワーモードで動作させるパワー脱臭スイッチを配置する温水洗浄便座補助操作スイッチ群１０が備えられている。さらには、温水洗浄便座Wの動作状況を文字や図形によって、例えば液晶画面に表示する表示部１２と、リモコン装置Ｙから温水洗浄便座へデータ送信を行うデータ送信部１３を装着している。これらリモコン装置Ｙのなかで水洗スイッチ群７、便座・便蓋開閉スイッチ群８、温水洗浄便座主要操作スイッチ群９、表面板１１は陶器廃材を源とした陶器紛を充填した熱可塑性プラスチックを使用することができる。水洗スイッチ群７、便座・便蓋開閉スイッチ群８、温水洗浄便座主要操作スイッチ群９、表面板１１に使用される熱可塑性プラスチックとしては、アクリルニトリル・ブタジエン・スチレン共重合体が好適である。また、使用される陶器粉は陶器製の便器又は洗面器の製造工程中に出る廃材あるいは製造後の不良品を元に作られたものであり、平均粒径１〜１００μｍ、充填量は５０重量％〜９０重量％の範囲で選択することができる。水洗スイッチ群７、便座・便蓋開閉スイッチ群８、温水洗浄便座主要操作スイッチ群９、表面板１１に陶器粉を充填した熱可塑性プラスチックを使用することにより、陶器に似た質感を有し、意匠性に優れた温水洗浄便座用リモコン装置を提供することができる。したがって、陶器調のトイレ装置に意匠的に合ったリモコン装置を提供することができる。
なお、リモコン装置のスイッチ操作部の形態によっては、陶器紛を混入させた合成樹脂が使用できない場合もあるが、その場合でも、表面板１１のみを陶器調の表面にすることで、十分に意匠上の効果を得ることができる。
また、表面板１１をリモコン装置Ｙに対して開閉自在とした場合には、その内部側部品も同様の素材で形成する。
【００１９】
図４に水周り用品の一例として、紙巻器の斜視図を示す。紙巻き器Ｚはトイレ室内の壁に固定され、トイレットペーパーを備え付けるのに使用される。この紙巻器Ｚは陶器粉を充填した熱可塑性プラスチックが使用される。紙巻器Ｚに使用される熱可塑性プラスチックとしては、アクリルニトリル・ブタジエン・スチレン共重合体が使用される。また、使用される陶器粉は陶器製の便器又は洗面器の製造工程中に出る廃材あるいは製造後の不良品を元に作られたものであり、平均粒径１〜１００μｍ、充填量は５０重量％〜９０重量％の範囲で選択することができる。紙巻器Ｚに陶器粉を充填した熱可塑性プラスチックを使用することにより、陶器に似た質感を有し、意匠性に優れた紙巻器Ｚを提供することができる。そのため、陶器調のトイレ装置に意匠的に合った紙巻器Ｚを提供することができる。
【００２０】
本発明に用いる熱可塑性プラスチックとしては、特に制限はなく、例えば、ポリプロピレン、スチレンアクリロニトリル共重合体、ポリスチレン、アクリロニトリル・ブタジエン・スチレン共重合体、ポリフェニレンエーテル（変性ＰＰＯを含む）、ポリエチレン、ポリアミド、ポリエチレンテレフタレート、ポリブチレンテレフタレート等のなかから選択することができる。
【００２１】
本発明に用いる陶器粉としては、陶器製の便器又は洗面器の製造工程中に出る廃材、あるいは製造後の不良品、あるいは不要物として廃棄された陶器製の便器又は洗面器の粉砕した粉を使用することができる。また、陶器粉の平均粒径は１μm〜１００μｍのものが使用される。平均粒径が1μｍ未満であると、成形時に陶器粉が凝集し、成形品に混入させる陶器粉の分散性が悪くなり、また１００μｍ以上になると、成形品の表面平滑性に問題が生じてくる。また、陶器粉の充填量は５０重量％〜９０重量％である。充填量が５０重量％以下であると成形品の質感が劣り、９０重量％以上であると成形時の材料流動性が劣り、成形品の外観に問題が生じやすくなる。
また、陶器粉を表面処理することは熱可塑性樹脂との接着性の面から好ましく、表面処理剤としては、いわゆるシラン系カップリング剤、チタン系カップリング剤として従来からあるものの中から適宜選択することができる。
【００２２】
本発明に用いる陶器粉は、陶器製品の製造工程中あるいは製造後の不良品、または不要物として廃棄されたものの回収品であるため、購入コストが非常に安価であり、その結果、本発明における成形品も安価に製造することができる。特に、製造工程中あるいは製造後に判明した不良品を陶器紛の原料とすれば原料の収集が容易となるので、高額な運送費用がかからないので生産コストをおさえることが可能となる。
【００２３】
次に、本発明にかかる陶器紛を混入させた合成樹脂材料を用意する準備工程について説明する。
ペレット状の上記熱可塑性プラスチックと陶器粉をタンブラーミキサーにて均一に混合攪拌したのち、その混合された材料を射出成形機のホッパーに直接投入する。投入された熱可塑性プラスチックのペレットはホッパー下のシリンダ内の熱で溶融し、成形圧により、射出成形機内のスクリュー先端方向へ流動する。ここで使用される射出成形機のスクリューにおいては、フルフライトスクリューの途中から先端部までがロータリー形状になっており、溶融した熱可塑性プラスチックと陶器粉はスクリューの回転方向に直線的にかつスクリュー表面に対し並行方向に流動するのみではなく、スクリュー表面に対し、垂直方向にも流動し、溶融した熱可塑性樹脂および陶器粉を高充填にかつ均一に分散させて混練することができる。
【図面の簡単な説明】
【００２４】
【図１】本発明の陶器製の洋式大便器に設置された温水洗浄便座の斜視図を示す。
【図２】本発明の陶器製の洋式大便器に設置された手洗い器を備えた温水洗浄便座の斜視図を示す。
【図３】陶器製の洋式大便器の後方上部に設置される温水洗浄便座の動作を遠隔操作してなる温水洗浄便座用リモコン装置の斜視図を示す。
【図４】本発明の紙巻器の斜視図を示す。
【符号の説明】
【００２５】
Ｗ・・・洋式大便器
Ｘ・・・温水洗浄便座
Ｙ・・・温水洗浄便座用リモコン装置
Ｚ・・・紙巻器
１・・・前面ケース
２・・・背面ケース
３・・・ケース蓋
４・・・便蓋
５・・・便座
６・・・手洗い器蓋
７・・・水洗スイッチ群
８・・・便座・便蓋開閉スイッチ群
９・・・温水洗浄便座主要操作スイッチ群
１０・・・温水洗浄便座補助操作スイッチ群    
１１・・・表面板
１２・・・表示部
１３・・・データ送信部
【図１】
2005163400.tif 000003
【図２】
2005163400.tif 000004
【図３】
2005163400.tif 000005
【図４】
2005163400.tif 000006